(57)【要約】【課題】  弾球遊技機に備えられ、球通路内に保持される遊技球の不正な球抜き行為を未然に防止する等の球抜き装置を提供する。【解決手段】  パチンコ機１において、予備賞球通路１０２内に保持される遊技球を賞球払出装置５２により機外へ排出させる球抜き装置であって、球抜き操作スイッチ２０２によって球抜き操作が検出されても、前枠３が開放している等の遊技機状態においては球抜き動作を行わないようにすることで、かかる状態での不正な球抜きを防止する。【選択図】  図１３
2005342248.tif 000002
【特許請求の範囲】
【請求項１】
弾球遊技機に形成された球通路内に保持される遊技球を賞球払出装置により機外へ排出させる球抜き装置であって、
球抜き操作を検出する球抜き操作検出手段と、
当該弾球遊技機の遊技機状態を検知する遊技機状態検知手段と、
検知された前記遊技機状態に応じて前記賞球払出装置による球抜き動作を許可し実行させる球抜き許可手段とを備えることを特徴とする弾球遊技機の球抜き装置。
【請求項２】
前記球抜き許可手段は、当該弾球遊技機において少なくとも前枠部材が開放しているときには、前記賞球払出装置による球抜き動作を行わないことを特徴とする請求項１に記載の球抜き装置。
【請求項３】
前記球抜き許可手段は、当該弾球遊技機において少なくともガラス枠部材が開放しているときには、前記賞球払出装置による球抜き動作を行わないことを特徴とする請求項１に記載の球抜き装置。
【請求項４】
前記賞球払出装置による球抜き動作中に前記前枠部材又は前記ガラス枠部材の開放を前記遊技機状態検知手段が検知したとき、異常を報知する異常報知手段を更に備えることを特徴とする請求項２又は３に記載の球抜き装置。
【発明の詳細な説明】
【技術分野】
【０００１】
本発明は、パチンコ機等の弾球遊技機に備えられる球抜き装置に関し、より詳細には、遊技盤の裏面側に設けられ、賞球払出装置によって払い出されるべく予備賞球通路内に待機する遊技球を必要に応じて機外へ排出させるための球抜き装置に関する。
【背景技術】
【０００２】
弾球遊技機であるパチンコ機は、発射ハンドルの回動操作に応じて遊技球を遊技盤へ打ち出しながら遊技を行うもので、遊技盤に設けられたチャッカー等の入賞口へ遊技球が落入することにより、所定数の遊技球を賞球として受皿部へ払い出すよう構成されている。一般的にパチンコ機には、遊技施設の遊技島に固定支持される矩形状の外枠と、外枠に対して開閉可能に取り付けられ遊技盤及び発射ハンドルなどパチンコ機の主要な機器類が設けられた前枠とが備えられている。
【０００３】
上記前枠の裏面側には、裏セット盤と呼ばれる基枠体が設けられ、ここには入賞時又は貸し出し操作がされたとき遊技球を受皿部へ払い出す装置である賞球払出装置と、遊技施設側が補給する遊技球（「予備賞球」ともいう）を貯留する予備球タンクと、予備球タンクに貯留されている遊技球を賞球払出装置へ案内する予備賞球通路、賞球払出装置によって払い出された賞球又は貸球を受皿部へ案内する賞球通路、賞球払出装置によって球抜きされた遊技球を機外へ案内する球排出通路等の球通路が形成されている。
【０００４】
賞球払出装置等の保守、点検作業を行うときや、パチンコ機本体の入れ換え作業をするときには、パチンコ機内部に残留する遊技球を機外へ排出させる必要がある。従来の球抜き装置は、裏セット盤の側縁に設けられている球抜き操作レバーが傾倒操作され賞球払出装置が上記球排出通路へ遊技球を排出することで、予備球タンク及び予備賞球通路内に残留する遊技球の球抜きを行っていた。
【発明の開示】
【発明が解決しようとする課題】
【０００５】
しかしながら、賞球払出装置を使用した従来の球抜き装置によれば、球抜き操作レバーが一旦、傾倒操作されると、賞球払出装置が作動して球抜き動作が行われる。ところが、仮に不正行為者によって故意に弾球遊技機の前枠が開錠され、上述の球抜き操作がされると、前枠下部の球排出口から遊技球が容易に盗み取られてしまうという問題があった。また、遊技島から遊技球の補給が可能な状態で球抜き操作が行われると、球抜きによって排出された遊技球の不足分が補給されながら球抜き動作が継続するため、不正な球抜き操作によって数多くの遊技球が窃盗され、遊技場側が甚大な被害を蒙るおそれがあった。
【０００６】
本発明は、こうした従来の問題に鑑みてなされたものであり、不正な球抜き行為を未然に防止する等の球抜き装置、及びそれを備える弾球遊技機を提供することを目的としている。
【課題を解決するための手段】
【０００７】
上述した課題を解決するため、請求項１に記載の発明は、弾球遊技機に形成された球通路内に保持される遊技球を賞球払出装置により機外へ排出させる弾球遊技機の球抜き装置であって、球抜き操作を検出する例えば球抜き操作スイッチである球抜き操作検出手段と、当該弾球遊技機の遊技機状態を検知する例えば前枠開放スイッチ、又はガラス枠開放スイッチである遊技機状態検知手段と、検知された前記遊技機状態に応じて前記賞球払出装置による球抜き動作を許可し実行させる球抜き許可手段とを備えることを特徴とする。
【０００８】
請求項２に記載の発明は、請求項１に記載の球抜き装置であって、前記球抜き許可手段は、当該弾球遊技機において少なくとも前枠部材が開放しているときには、前記賞球払出装置による球抜き動作を行わないことを特徴とする。
【０００９】
請求項３に記載の発明は、請求項１に記載の球抜き装置であって、前記球抜き許可手段は、当該弾球遊技機において少なくともガラス枠部材が開放しているときには、前記賞球払出装置による球抜き動作を行わないことを特徴とする。
【００１０】
請求項４に記載の発明は、請求項２又は３に記載の球抜き装置であって、前記賞球払出装置による球抜き動作中に前記前枠部材又は前記ガラス枠部材の開放を前記遊技機状態検知手段が検知したとき、異常を報知する異常報知手段を更に備えることを特徴とする。
【００１１】
請求項１に記載の球抜き装置によれば、例えば球抜き操作スイッチである球抜き操作検出手段が球抜き操作を検出すると、球抜き許可手段は、遊技機状態検知手段が検知した遊技機状態に応じて賞球払出装置による球抜き動作を許可し実行させる。例えば、前枠部材が開放中である等の遊技機状態においては、球抜き許可手段が球抜き動作を許可しないようにすることで、かかる状態にある弾球遊技機に対する不正な球抜きが防止される。これにより、弾球遊技機の安全性が向上する。
【００１２】
請求項２に記載の球抜き装置によれば、球抜き許可手段は、当該弾球遊技機において少なくとも前枠部材が開放しているときには、球抜き許可を発行せず賞球払出装置による球抜き動作を行わない。したがって、この状態における不正な球抜きが未然に防止され、弾球遊技機の安全性が向上する。
【００１３】
請求項３に記載の球抜き装置によれば、球抜き許可手段は、当該弾球遊技機において少なくともガラス枠部材が開放しているときには、球抜き許可を発行せず賞球払出装置による球抜き動作を行わない。したがって、この状態における不正な球抜きが未然に防止され、弾球遊技機の安全性が向上する。
【００１４】
請求項４に記載の球抜き装置によれば、球抜き動作中に前枠部材又はガラス枠部材の開放を遊技機状態検知手段が検知したとき、異常報知手段がこれを異常として報知するので、球抜き動作時の不正行為を確実に防止する。
【発明の効果】
【００１５】
上述したように、本発明によれば、球抜き操作が検出されても、例えば前枠部材が開放している等、当該弾球遊技機が不正な球抜きが行われる可能性がある状態にあるとき、球抜き動作は許可されず実行されない。このため、かかる状態における不正な球抜きを未然に防止することができ、弾球遊技機の安全性が向上する。
【００１６】
また、球抜き動作中に前枠部材又はガラス枠部材の開放が検知されたとき、異常報知手段がこれを異常として報知するので、球抜き動作時の不正行為を確実に防止することができる。
【発明を実施するための最良の形態】
【００１７】
以下、本発明の好適な一実施形態として弾球遊技機の代表例であるパチンコ機を採り上げ、その概要構成について図面を参照し説明する。ここで、図１はパチンコ機の外観構造を表す正面図、図２はガラス枠及び一体皿ユニットを開放した状態におけるパチンコ機の遊技盤と前枠の前面側の構造を主に表す正面図、図３はパチンコ機の外観構造を表す側面図、図４はその背面図である。
【００１８】
パチンコ機１は、本体を遊技島へ固定保持するための外郭枠であり矩形状に形成された木製の外枠２と、当該外枠２に対してヒンジ部材３ａにより開閉可能に装着され、通常時には外枠２の開口前面を閉鎖する前枠３とを備えている。前枠３の前面には、アクリル等の透明樹脂板又は透明なガラス板等から形成される二重の透明板が取り付けられたガラス枠４と、硬質プラスチックで一体的に形成された一体皿ユニット５が開閉可能に装着されている。
【００１９】
なお、前枠３内には、前枠３を外枠２側へ閉めることで自動的に施錠し、且つ、一体皿ユニット５とともにガラス枠４を前枠３側へ閉めることでも自動的に施錠する図示しない施錠装置が設けられ、前枠３の前面右部に形成されている鍵穴６に所定の鍵を挿入して開錠操作をすることにより、これらを開放することができるようになっている。
【００２０】
更に、前枠３の前面であってガラス枠４の裏面部分と対向する一カ所にガラス枠開放スイッチ４２（図１参照）と、前枠３の裏面側であって外枠２の前面部分と対向する一カ所に前枠開放スイッチ４１（図４参照）とがそれぞれ設けられている。これらガラス枠開放スイッチ４２と前枠開放スイッチ４１は、いずれも押圧式のスイッチから形成される。ガラス枠開放スイッチ４２は、ガラス枠４が前枠３に対して閉鎖されると押圧された状態でオフ動作し、ガラス枠４が開放されるとオン動作することで、ガラス枠４の閉鎖及び開放状態を検知する。また、前枠開放スイッチ４１は、前枠３が外枠２に対して閉鎖されると押圧された状態でオフ動作し、前枠３が開放されるとオン動作することにより、前枠３の閉鎖及び開放状態を検知する。
【００２１】
次に、図１及び図２を参照し、パチンコ機１の正面側の構造を説明する。
【００２２】
ガラス枠４の前面上部には、高輝度の発光ダイオード等のランプ類を内蔵する演出用照明部４ａ、４ｂが配設されている。また、ガラス枠４の左隅部には、同じく高輝度の発光ダイオードを有し、例えばガラス枠４の開放エラー等を報知するための報知用照明部４ｃが配設されている。
【００２３】
一体皿ユニット５には、払い出された遊技球を貯留して整列させる受皿部５ａが形成されている。一体皿ユニット５の前面下部には、パチンコ機１の遊技に係る効果音又は遊技の進行を音声で案内するためのスピーカ９を備える演出用放音部５ｂが配設されている。
【００２４】
また、一体皿ユニット５の前面略中央には、受皿部５ａに貯留されている遊技球を一体皿ユニット５底部の球排出口５ｅから下方の球箱（ドル箱）等へ排出させる球抜きボタン５ｃ、５ｄが設けられている。なお、左側の球抜きボタン５ｃは、受皿部５ａ上の遊技球を球発射装置５０付近から排出させ、右側の球抜きボタン５ｄは、受皿部５ａの遊技球を賞球払出口２７付近から下方へ排出させる球抜き用の操作ボタンである。
【００２５】
一体皿ユニット５の前面右下部には、受皿部５ａに貯留された遊技球を遊技盤２０へ向けて打ち出す操作をするための発射ハンドル８が配設されている。発射ハンドル８は、内蔵するバネによって反時計回りに常時付勢される回動操作部８ａを有し、遊技者が回動操作部８ａに触れながら当該付勢力に抗して回動操作部８ａを時計回りに回動操作すると、球発射装置５０を作動して回動操作部８ａの回動角度に応じた打撃力で遊技球が打ち出されるようになっている。
【００２６】
また、一体皿ユニット５の前面左上部には、球貸スイッチ７ａと返却スイッチ７ｂとを備えるＣＲ操作パネル７が配設されている。球貸スイッチ７ａは、パチンコ機１に隣接する図示しないＣＲユニットから遊技球の貸し出し操作を行うためのスイッチである。球貸スイッチ７ａが押圧操作される毎に、ＣＲユニットに挿入された例えば磁気カードに記憶される度数の範囲内で、所定個数の遊技球が一体皿ユニット５へ払い出される。返却スイッチ７ｂは、ＣＲユニットに挿入されている上記磁気カードを排出して返却するためのスイッチである。
【００２７】
前枠３は、外枠２と略同一寸法形状の枠部と、枠部の内側において球集合樋等とが一体的に形成された硬質プラスチック製の基枠体３０からなり、ガラス枠４と対向する基枠体３０中央には、遊技盤２０を着脱可能に収容するための開口である遊技盤収容部３１が形成されている。
【００２８】
なお、基枠体３０の前面側には回転ロック部材３０１が複数個、適宜の位置に配置され、遊技盤２０は、遊技盤２０に形成された係止孔２０ａに回転ロック部材３０１を挿通させて当該回転ロック部材３０１を９０度回転させることで、基枠体３０の遊技盤収容部３１に収容されて保持される。そして、ガラス枠４が前枠３側へ閉じられた状態では、遊技盤２０の前面とガラス枠４の透明板とが所定の間隔で対向することで、遊技盤２０に遊技球が落下移動する遊技領域が形成される。
【００２９】
上記遊技領域には複数の釘が打設された配列パターンであるゲージが形成されている。遊技領域に打ち出された遊技球は、ゲージを構成する複数の釘に衝突して偶発的にその方向が変更されながら下方へ落下する。
【００３０】
また、遊技盤２０の遊技領域には、入賞口に遊技球が入球することで入賞となる複数のチャッカー２１ａ、２１ｂ、同じく入賞口に入球することで大当たり等の特別遊技状態への抽選を起動させる始動チャッカー２２、特別遊技状態において一定時間又は一定数の遊技球が入球するまで開放し遊技球が入ると通常よりも多くの賞球を払い出すアタッカー２３等の入賞役物が適宜の位置に配置されている。また、遊技領域の下部には、入賞口に入球せずに落下したアウト球を集合して排出させるアウト口２４が設けられている。更に、遊技領域の略中央には、液晶表示ユニット５３の表示部を透視可能な飾り部材２５が設けられている。
【００３１】
遊技盤収容部３１よりも下方の基枠体３０の前面には、遊技補助盤３０ａが形成されている。遊技補助盤３０ａの右方部には、前面に開口する賞球払出口２７が形成され、当該賞球払出口２７に向けて底面が緩やかな下り勾配を有する貯球タンク２６が遊技補助盤３０ａに収容されて取り付けられている。遊技において入賞時に払い出される賞球、又は貸し出し操作によって貸し出される貸球は、この貯球タンク２６を通って賞球払出口２７から受皿部５ａへ払い出される。また、ファール球その他のこぼれ球が貯球タンク２６で回収されて受皿部５ａへ戻されるように構成されている。
【００３２】
また、遊技補助盤３０ａの左方部には球発射装置５０が設けられている。なお、球発射装置５０は、発射ハンドル８の回動操作に応じて、一体皿ユニット５の受皿部５ａに貯留されている遊技球を一球づつ遊技盤２０の遊技領域へ打ち出す装置である。また、遊技補助盤３０ａには、球発射装置５０の打撃ハンマ５０２と位置整合して遊技球を遊技領域の外レール７１に向けて発射する発射レール５０３や、演出効果音を発生するスピーカ９等が取り付けられている。なお、遊技補助盤３０ａは一体皿ユニット５の裏側に位置し、常には閉鎖状態に保持される一体皿ユニット５によりその表面側が覆われている。
【００３３】
次に、図４を参照しパチンコ機１の裏面側の構造を説明する。前枠３は、パチンコ機１の裏面側において外枠２から内側に向けて張り出した係止部２ａに、前枠３に設けられた施錠装置によって上下に可動する係止フック３０４が係止して外枠２に対し閉鎖保持される。
【００３４】
また、前枠３の裏面側に、賞球払出装置５２等の各種機器、また主制御基板６０等の各種制御基板が取り付けられた裏セット盤１０が着脱可能に取り付けられている。前枠３の基枠体３０裏面側には回転ロック部材３０２が複数設置され、これら回転ロック部材３０２に位置整合して、裏セット盤１０に横長の係止口１０１が形成されている。裏セット盤１０は、係止孔１０１に各回転ロック部材３０２を挿通させて当該回転ロック部材３０２を９０度回転させることで、基枠体３０の裏面に取り付けられる。
【００３５】
なお、詳細は後述するが、裏セット盤１０には、予備賞球が補給される予備球タンク５１から賞球払出装置５２へ予備賞球を案内する予備賞球通路１０２と、賞球払出装置５２から払い出された賞球又は貸球を一体皿ユニット５の受皿部５ａへ案内する賞球通路１０５と、入賞口へ入球した遊技球及びアウト口２４を介して回収されたアウト球を集合させて下方の遊技施設側の回収球タンク（図示略）へ排出させる球排出通路１０６と、賞球払出装置５２により球抜きされた予備賞球を球排出通路１０６へ案内して上記回収球タンクへ排出させる球抜き通路１０７等が形成されている。
【００３６】
裏セット盤１０の略中央には長方形の開口部が形成されており、裏セット盤１０が前枠３に装着された状態においては、遊技盤２０の裏面から突出する液晶表示ユニット５３とともにその裏面に取り付けられたサブ制御基板６１を開口部に受容する。そして、これら液晶表示ユニット５３とサブ制御基板６１を覆うように、半透明なプラスチック製のカバー部材１０８が取り付けられている。
【００３７】
また、裏セット盤１０には、賞球及び貸球の払出し制御等を行う払出制御基板６２と、電源装置ユニット６３と、複数のコネクタが取り付けられて制御信号や電力の中継を行う遊技盤中継基板６４と、パチンコ機１の作動状態（遊技機情報）を遊技場施設内の管理コンピュータ（例えばホールコンピュータ）へ出力するための外部端子基板６５等が取り付けられ、これら各種機器及び電子回路基板がワイヤーハーネス等で電気的に接続される。ここで、払出制御基板６２は、入賞時又は貸し出し操作がされたとき、賞球払出装置５２を作動して所定数の賞球又は貸球を払い出す制御を行う制御基板である。また、後述するように、予備賞球通路１０２内に残留する遊技球を球抜きする球抜き操作がされたとき、賞球払出装置５２を作動して遊技球を機外へ排出させる。
【００３８】
電源装置ユニット６３には、配電回路が形成され、パチンコ機１の動作に必要な電力を上記各種機器及び制御基板、その他の装置へ供給する。
【００３９】
なお、パチンコ機１は、所要の後傾角度（例えば１度）に保持されて遊技施設の遊技島に設置される。
【００４０】
パチンコ機１は、前枠３、ガラス枠４及び一体皿ユニット５が閉鎖施錠された状態で遊技に供され、受皿部５ａに遊技球を貯留させて発射ハンドル８を回動操作することにより遊技が開始される。遊技者が発射ハンドル８の回動操作部８ａに手を触れると、受皿部５ａに貯留する遊技球が図示しない球送り装置によって１球ずつ発射レール５０３上に送り出され、球発射装置５０の打撃ハンマ５０２が回動操作部８ａの操作量に応じた打撃力で遊技球を遊技盤２０の遊技領域へ打ち出すことにより、以降のパチンコ遊技が展開される。
【００４１】
次に、かかる概要構成されるパチンコ機１について、各部の構成を更に詳しく説明する。
【００４２】
遊技盤２０は、所定板厚の積層合板の表面にセルが貼り付けられた化粧板の前面側に、ステンレス鋼板等からなる帯状の外レール７１及び内レール７２が固設されている。そして、これらの案内レールによって囲まれた内側に上述した遊技領域が形成されている。遊技領域内には、上述したように多数の釘が打設されたゲージパターンとともに、チャッカー２１ａ、２１ｂ、始動チャッカー２２、及び開閉式のアタッカー２３等の入賞役物、更には液晶表示ユニット５３を有する飾り部材２５等が設けられている。
【００４３】
チャッカー２１ａ、２１ｂは、遊技球が落入可能な入賞口を有し、入賞口に入球した遊技球を検出する入賞球センサが取り付けられている。この入賞球センサは、例えば、磁気的、光学的、電気的手段等により遊技球の通過を非接触に検出するセンサから形成される。
【００４４】
始動チャッカー２２は、いわゆる電動チューリップ構成の入賞役物であり、左右の羽部材を開閉させることで、ここへの入賞の確率を変動させることができるように構成されている。なお、この始動チャッカー２２の入賞口内にも上述したチャッカー２１ａ、２１ｂと同様の入賞球センサ（始動口入賞球センサ）が設けられ、始動チャッカー２２への入球が検出されると、パチンコ機１の主制御基板６０は、例えば大当たり（確変当たり）等の通常よりも有利な条件で遊技ができる遊技状態へ移行する抽選を行う。
【００４５】
アタッカー２３は、中央に横長方形状の開口からなる大入賞口を有し、この大入賞口をソレノイド（大入賞口ソレノイド）により開閉可能とする開閉扉が取り付けられている。通常遊技状態においてはこの開閉扉は閉じられ、上述の始動チャッカー２２への入球の際に行われる抽選の結果、大当たり等の特別遊技状態が成立したときに、開閉扉が前方に約９０度倒される。
【００４６】
アタッカー２３の大入賞口へ遊技球が落入することにより、他の入賞役物よりも多くの遊技球が払い出される。このため、特別遊技状態においては、遊技者は通常よりも高い入賞確率で遊技を行うことができる。なお、大入賞口内には、左右に二つの入賞口が設けられ、いずれか一方の入賞口が特別領域を形成し、例えば大当たり当選時には、この特別領域の入賞口へ遊技球が落入する限り継続して予定される最大回数まで特別遊技状態を続けることができる。なお、アタッカー２３のそれぞれの入賞口においても、チャッカー２１ａ、２１ｂと同様の入賞球センサ及び特定領域入賞球センサが設けられている。
【００４７】
遊技領域の最下部には、チャッカー２１ａ、２１ｂ、始動チャッカー２２、アタッカー２３等のいずれの入賞口にも入球せずに落下したアウト球を集合して排出させるアウト口２４が設けられている。
【００４８】
なお、遊技盤２０の裏面側には所定間隔をおいて裏セット盤１０が配置され、各入賞口へ落入した遊技球、及びアウト口２４から排出された遊技球（これらを「遊技済み球」という）が、遊技盤２０の裏面と裏セット盤１０の前面との間を落下して、前枠３の遊技補助盤３０ａの裏面側に形成された球集合樋に集められる。そして、これら遊技済み球が裏セット盤１０に形成されている球排出通路１０６を通って遊技島側の設備である回収球タンクへと回収されるようになっている。
【００４９】
図４に示されるように、裏セット盤１０の上部には、遊技島施設の球補給樋から補給される予備賞球を貯留するための予備球タンク５１が取り付けられている。予備球タンク５１の底部には、タンク球切れスイッチ５７が設けられている。タンク球切れスイッチ５７は、予備球タンク５１の底面から上方に付勢されるスイッチレバーが形成され、予備球タンク５１内の予備賞球がなくなると、スイッチレバーが上がりスイッチがオフ動作する。これにより、予備球タンク５１の球切れ状態を検出して、遊技施設側の球補給装置へ予備賞球の捕球を求める信号を送出する。
【００５０】
裏セット盤１０の内部には予備球タンク５１から賞球払出装置５２へ連通する予備賞球通路１０２が形成されている。予備賞球通路１０２は、予備球タンク５１に接続し右方へ緩やかに下り傾斜する傾斜樋部１０３と、終端で賞球払出装置５２と接続し略Ｓ字状に屈曲するＳ字レール部１０４とに概ね区分けされる。
【００５１】
傾斜樋部１０３の底面中央には、遊技球が流下する方向に沿ってリブ状の仕切り壁１０３ａが設けられ、これにより２列の球通路が形成されている。また、傾斜樋部１０３内に突出して、球均し機構５４の球均し部材５４１が遊技球の流下方向に沿って２カ所に回動自在に吊り下げられている。かかる構成により、傾斜樋部１０３の底面から一定高さ以上で流下する遊技球（予備賞球）は、球均し部材５４１に衝突ながら移動することでほぼ均一に均され、リブ状の仕切り壁１０３ａによって２列に整列して効率良くＳ字レール部１０４へと転送される。Ｓ字レール部１０４は、下方に向かいながら二段に屈曲する球通路から形成されているので、これにより、予備賞球通路１０２内に積み重ねられて待機する遊技球によって賞球払出装置５２に作用する重圧が緩和される。
【００５２】
傾斜樋部１０３の終端近傍には、必要に応じてこの球通路を手動で閉鎖し予備賞球の流れを停止可能とする球止め機構５５が設けられている。
【００５３】
予備賞球通路１０２のＳ字レール部１０４に接続して賞球払出装置５２が裏セット盤１０に取り付けられている。賞球払出装置５２は、上部中央にＳ字レール部１０４の終端に繋がって予備賞球を受容する受容口と、下部に賞球及び貸球を賞球通路１０５へ払い出す払出口と、球抜き動作時に予備賞球を球排出通路１０６へ排出する払出口が設けられる。また、賞球払出装置５２は、ケース部材内部に前後二段のインペラと、これらインペラを回転させる球払出モータ等を有し、所定条件のもと払出制御基板６２から出力される払出指令信号に従って球払出モータが作動し、インペラを反時計回りに回転させて払出指令信号に基づく数量の遊技球（賞球又は貸球）を左の払出口から払い出し、インペラを時計回りに回転させて予備賞球通路１０２内の遊技球を右の払出口から排出する。なお、賞球払出装置５２の詳細な説明については後述する。
【００５４】
賞球通路１０５は、賞球払出装置５２から下り電源装置ユニット６３の上方において屈曲して左方へ緩やかに下りながら裏セット盤１０の前面に開口する賞球通路出口１０５ａへと連通している。更に、賞球通路出口１０５ａは、前枠３の遊技補助盤３０ａに収容されている貯球タンク２６の一端に密接している。これにより、賞球払出装置５２から払い出される賞球、又は貸球が裏セット盤１０内の賞球通路１０５と前枠３側の貯球タンク２６を通って一体皿ユニット５の受皿部５ａへ払い出されるように形成されている。
【００５５】
球排出通路１０６の上端は、裏セット盤１０が前枠３に取り付けられた状態において、前枠３の裏面側に形成された球集合樋の終端とアウト口２４とに連通する。これにより、各入賞口へ入球し球集合樋に集められた遊技球とアウト口２４に入球したアウト球は球排出通路１０６に受容され、終端において下方に開口する球排出通路出口１０６ａへと落下する。パチンコ機１が遊技島に設置される状態では、球排出通路出口１０６ａから排出された遊技球は、遊技島側の設備である回収球タンクによって回収される。
【００５６】
次に、かかる構成のパチンコ機１において、賞球又は貸球を一体皿ユニット５の受皿部５ａへ払い出し、また賞球払出装置５２の上流側の球通路に待機する遊技球（予備賞球）を球抜き通路１０７を介してパチンコ機１の機外へ排出させる機構（球払出し及び球抜き装置）の詳細を説明する。
【００５７】
図５は、球払出し及び球抜き装置の構造を表す斜視図であって、裏セット盤１０の裏面側のカバー部材を取り外し、賞球払出装置５２を破断して示した図である。また、図６は、賞球払出装置５２の外観構造を表す斜視図、図７（ａ）及び（ｂ）のそれぞれは賞球払出装置５２の動作を説明するための断面図である。
【００５８】
図５に示されるように、予備賞球通路１０２の傾斜樋部１０３終端付近には、必要なときに予備賞球通路１０２を手動で閉鎖する球止め機構５５が設けられ、またＳ字レール部１０４の終端に接続して賞球払出装置５２が設けられている。
【００５９】
球止め機構５５は、予備賞球通路１０２における遊技球の流れを一時的に止める機構である。通常、球止め機構５５は、予備賞球通路１０２内を開放する位置に設定されるが、例えば賞球払出装置５２の保守、点検作業を行う際には、球止め機構５５を球通路閉鎖位置に操作してこれより下流への遊技球の流れを停止させ、後述する球抜き動作を実行してＳ字レール部１０４内の遊技球を排出し、上記作業を迅速又は容易に行えるようにしている。
【００６０】
球止め機構５５は、予備賞球通路１０２の上部において回動可能に枢支されている規制部材５５１と、予備賞球通路１０２の上部を覆う上部カバー部材５５２と、裏セット盤１０の壁面に形成され規制部材５５１を球通路開放位置又は球通路閉鎖位置に保持するための係止片５５３から主に構成されている。
【００６１】
規制部材５５１は、予備賞球通路１０２の上部に形成された軸孔に枢支される枢軸部５５１ａと、枢軸部５５１ａから延びるアーム部５５１ｂと、アーム部５５１ｂの先端から回動方向へ屈曲して突出する二本の規制爪部５５１ｃと、同じくアーム部５５１ｂの先端から回動軸と平行する方向（パチンコ機１の後方）へ延びる操作レバー部５５１ｄとを有し、これらが硬質プラスチックによって一体的に形成されている。
【００６２】
予備賞球通路１０２の上部には上部カバー部材５５２が取り付けられており、上部カバー部材５５２には、規制部材５５１が球通路閉鎖位置に回動された際にその規制爪部５５１ｃと位置整合し当該規制爪部５５１ｃを貫通させて予備賞球通路１０２内へ突出させるための二つの開口５５２ａがそれぞれ形成されている。
【００６３】
係止片５５３は、上下及び右辺が裏セット盤１０の壁部から切り離されて形成され、その右端付近には規制部材５５１に向けて凸状の突起部５５３ａが形成されている。すなわち係止片５５３は、その左辺部分が裏セット盤１０の壁部と一体をなし支持されながら弾性変形することで、その右端部分に形成された突起部５５３ａが前後方向に変位可能となっている。
【００６４】
球止め機構５５は、通常、規制部材５５１が予備賞球通路１０２の下流側へ回動された位置である球通路開放位置に設定される。このとき、規制部材５５１は、そのアーム部５５１ｂが裏セット盤１０の壁面から後方へ突出する係止片５５３の突起部５５３ａに係止され、上記球通路開放位置において保持される。賞球払出装置５２の保守、点検作業等、遊技球の供給を停止する際には、規制部材５５１の操作レバー部５５１ｄを予備賞球通路１０２の上流側へ回動操作することで、予備賞球通路１０２を閉鎖する球通路閉鎖位置に設定される。このとき、係止片５５３は、その突起部５５３ａが規制部材５５１のアーム部５５１ｂと摺接しながら前方へ弾性変位し、規制部材５５１が球通路閉鎖位置に達すると、突起部５５３ａが裏セット盤１０の壁面から後方へ突出する位置へ戻る。これにより規制部材５５１は、そのアーム部５５１ｂが突起部５５３ａに係止され、球通路閉鎖位置に保持される。規制部材５５１が球通路閉鎖位置にあるとき、規制爪部５５１ｃが予備賞球通路１０２内へ突出するため、予備賞球通路１０２内の遊技球の流れがこの規制爪部５５１ｃによって阻止される。
【００６５】
賞球払出装置５２は、図６に示されるように、Ｓ字レール部１０４を介して供給される遊技球（予備賞球）を受容する受容口５２３ａ、５２３ｂと、賞球又は貸球を払い出す払出口が形成された矩形状のケース部材５２１と、球払出モータを内側に取り付けられたカバー部材５２２とを有している。
【００６６】
図７に示されるように、賞球払出装置５２のケース部材５２１内部には、周方向に沿って３等分される外周位置に遊技球を保持する溝部が形成された前後二段のインペラ５２７ａ、５２７ｂが回転自在に設けられ、ケース部材５２１に相対してカバー部材５２２が取り付けられた状態では、球払出モータ５２８の駆動軸の先端部がケース部材５２１内部のインペラ５２７ａ、５２７ｂの回転軸に係合する。これにより、一体的に形成されたインペラ５２７ａ、５２７ｂは、球払出モータ５２８によって回動される。
【００６７】
また、ケース部材５２１内部には、受容口５２３ａ、５２３ｂから供給された遊技球をインペラ５２７ａ、５２７ｂ側へ案内する前後二列の導入通路５２４ａ、５２４ｂと、反時計回りに回転駆動されたインペラ５２７ａ、５２７ｂの溝部に保持されながら送り出される遊技球を下方の払出口５２６ａ側へ案内する払出通路５２５ａと、同じく時計回りに回転駆動されたインペラ５２７ａ、５２７ｂの溝部に保持されながら送り出された遊技球を下方の払出口５２６ｂ側へ案内する払出通路５２５ｂとが形成されている。
【００６８】
ここで、図７（ａ）は、インペラ５２７ｂの一つの溝部が最上位置にあって受容口５２３ｂから供給された一つの遊技球を保持している状態を表し、図７（ｂ）は、インペラ５２７ｂが反時計回りに約９０度回転し前記遊技球を払出通路５２５ａ側へ送り出した状態を表している。
【００６９】
このように、賞球払出装置５２は、例えばパチンコ機１の遊技において入賞が確定したとき、上述した払出制御基板６２によって球払出モータ５２８が制御され、インペラ５２７ａ、５２７ｂが所定の回転量だけ反時計回りに回転することで、当該入賞の種類に応じた数の賞球を払出口５２６ａを介して払い出す。また、パチンコ機１に対して遊技球の貸出し操作が行われた際にも、払出制御基板６２によってインペラ５２７ａ、５２７ｂが所定の回転量だけ反時計回りに回転制御され、これにより所定数の貸球を払出口５２６ａを介して払い出す。
【００７０】
一方、球抜き操作が行われパチンコ機１が後述する所要の状態にあるときに実行される球抜き動作時においては、賞球払出装置５２は、払出制御基板６２によって球払出モータ５２８が制御され、インペラ５２７ａ、５２７ｂが時計回りに回転することでＳ字レール部１０４内の予備賞球を払出口５２６ｂを介して排出する。
【００７１】
なお、図７に示されるように、賞球又は貸球が払い出される賞球払出装置５２の払出通路５２５ａ側には、光センサであるカウントセンサ５２９が設けられている。カウントセンサ５２９は、賞球払出装置５２が払い出した賞球又は貸球を検出してその検出信号を払出制御基板６２へ送出する。実際に払い出された遊技球の数を払出制御基板６２が把握しながら賞球払出装置５２に対し球払出しの制御を行うため、正確な数の遊技球の払い出しが可能となっている。
【００７２】
次に、裏セット盤１０の右側縁に設けられている球抜き操作部は、ヒンジレバーを有するマイクロスイッチである球抜き操作スイッチ２０２と、裏セット盤１０に回動自在に枢支され球抜き操作スイッチ２０２を操作する球抜き操作レバー２０１とから構成される。
【００７３】
球抜き操作レバー２０１は、裏セット盤１０に枢支される枢支部２０１ｃと、枢支部２０１ｃから右方へ突出して上方へ折れ曲がることで裏セット盤１０の側縁から突出するように位置する操作レバー部２０１ａと、枢支部２０１ｃから下方へ延び、球抜き操作スイッチ２０２のヒンジレバーに当接する押圧片２０１ｂとがプラスチックにより一体的に形成された部材である。球抜き操作レバー２０１の操作レバー部２０１ａを後方へ傾倒操作することで、押圧片２０１ｂによってヒンジレバーが押圧され、球抜き操作スイッチ２０２がオン動作するように形成されている。
【００７４】
次に、図８のブロック図を参照して、パチンコ機１に設けられている制御システムについて説明する。
【００７５】
主制御基板６０は、演算装置としてのＣＰＵと半導体メモリであるＲＯＭ、及びＲＡＭ等の電子部品が搭載されており、ＲＯＭに予め記憶されているシステムプログラムに従ってＣＰＵが入賞役及び演出の抽選等の演算処理を実行してパチンコ遊技が展開される。また、主制御基板６０には、サブ制御基板６１と、払出制御基板６２と、遊技盤中継基板６４等の各制御基板がワイヤーハーネスで接続され、これら制御基板へ指令信号を送信して各制御基板に分散制御を行わせることによりパチンコ機１全体を統括制御している。
【００７６】
ここで、サブ制御基板６１は、液晶表示ユニット５３に演出に係る映像を表示させる制御を行う画像制御部６１１と、スピーカ９に対して鳴動制御を行う音声制御部６１２と、演出用照明部４ａ、４ｂ及び報知用照明部４ｃ等のランプ類を点灯させるランプ制御部６１３とを備えている。
【００７７】
画像制御部６１１は、圧縮された画像データを記憶するＲＯＭ、及びフレームメモリ又はビデオＲＡＭ等を有するビデオ信号処理回路（ＶＤＰ：Video Display Processor）を搭載し、液晶表示ユニット５３に対し主制御基板６０の指令信号に基づく各種演出映像を表示させる制御を行う。音声制御部６１２は、各種演出効果音の圧縮音源データを記憶するＲＯＭと、主制御基板６０の指令信号に基づいて選択された音源データを復調し音声信号へ再生する音声信号処理回路と、再生された音声信号を増幅する増幅回路等を搭載している。また、ランプ制御部６１３は、主制御基板６０により選択されたシーケンスに従って演出用照明部４ａ、４ｂ等を点灯又は点滅させる駆動回路を備えている。
【００７８】
また、主制御基板６０には、始動口入賞球センサ２２１が接続され、始動チャッカー２２への入球を始動口入賞球センサ２２１が検出すると、所定数の賞球を払い出すべき旨の指令信号を払出制御基板６２へ送出するとともに、ハードウエア抽選回路を起動して入賞役の抽選を行う。このとき、主制御基板６０は、サブ制御基板６１に対し制御信号を送出することで、飾り部材２５に設けられた液晶表示ユニット５３に複数図柄を変動表示させたり、演出用放音部５ｂのスピーカ９に入賞に係る効果音を発生させたり、演出用照明部４ａ、４ｂを点灯又は点滅等させることで、入賞への期待を高める演出を行っている。
【００７９】
また、主制御基板６０には、チャッカー２１ａ、２１ｂに設けられている入賞球センサ２１１が遊技盤中継基板６４を介して接続され、入賞球センサ２１１が入賞口への入球を検出すると、所定数の賞球を払い出すべき旨の指令信号を払出制御基板６２へ送出する。
【００８０】
なお、大当たり等の入賞役が当選すると、主制御基板６０は特別遊技状態へ遊技の処理を移行させ、遊技盤中継基板６４を制御して大入賞口ソレノイド２３３を作動し一定の要件下においてアタッカー２３の開閉扉を開放させる。これにより、特別遊技状態ではアタッカー２３への入球が可能となり、主制御基板６０は、アタッカー２３内に設けられている入賞球センサ２３１又は特定領域入賞球センサ２３２が入賞口への入球を検出する毎に、所定数の賞球を払い出すべき旨の指令信号を払出制御基板６２へ送出する。
【００８１】
払出制御基板６２には、賞球払出装置５２の球払出モータ５２８と、カウントセンサ５２９とが接続されている。更に、払出制御基板６２には、ＣＲ接続端子板６７を介してＣＲ操作パネル７に設けられた球貸スイッチ７ａ及び返却スイッチ７ｂが接続され、またＣＲ接続端子板６７には図示しないＣＲユニットが例えばシリアル通信可能に接続される。入賞口へ遊技球が入球し、又は球貸スイッチ７ａが操作されると、払出制御基板６２が賞球払出装置５２の球払出モータ５２８を作動し、実際に払い出された賞球をカウントセンサ５２９によって検出しながら球払出モータ５２８を制御することで、所定数の賞球又は貸球の払い出しを行っている。
【００８２】
なお、払出制御基板６２は、外部端子基板６５を介して予備球タンク５１に設けられるタンク球切れスイッチ５７からの検出信号を入力し、予備球タンク５１内の球切れ状態が、所定時間以上、継続しているときには、賞球払出装置５２の作動を停止するように制御している。
【００８３】
また、払出制御基板６２には、球抜き制御手段１２０によって後述する球抜き動作を行う際に、球抜き操作レバー２０１により操作される球抜き操作スイッチ２０２が接続されている。
【００８４】
また、払出制御基板６２には、発射制御基板６６が接続されている。発射制御基板６６は、発射ハンドル８の操作に応じて球発射装置５０の動作を制御する制御基板であり、発射ハンドル８に内蔵されるタッチセンサ８１と、ポテンショメータ８２と、停止スイッチ８３と、球発射装置５０の球発射ソレノイド５０１等が接続されている。
【００８５】
発射ハンドル８に設けられるタッチセンサ８１は、例えば静電容量型のセンサから形成され、遊技者等が発射ハンドル８の回動操作部８ａを触れている間、検出信号（オン信号）を発射制御基板６６へ送出する。ポテンショメータ８２は、回動操作部８ａが回動操作された回転角度に応じて電気抵抗が変化する。このため、例えば一定の電流をポテンショメータ８２に供給することで、発射ハンドル８の回動操作量に応じた電圧信号を発射制御基板６６は得ることができる。停止スイッチ８３は、遊技球の打ち出しを停止させるために発射ハンドル８に設けられた押圧式のスイッチである。
【００８６】
発射制御基板６６は、遊技者等が発射ハンドル８に触れタッチセンサ８１がこれを検出している間、ポテンショメータ８２により検出される回動操作部８ａの回動角度に応じたトルクで球発射装置５０の球発射ソレノイド５０１を作動させる。これにより、発射ハンドル８の回動操作量に応じた打撃力で遊技球を遊技盤２０へ打ち出している。なお、発射制御基板６６は、停止スイッチ８３が押圧操作されたのを検出するとその間は遊技者等が発射ハンドル８に触れていても上記球発射ソレノイド５０１の作動を停止させる。また、発射制御基板６６は、払出制御基板６２に接続される受皿満タンスイッチ５６が、受皿部５ａに保持される遊技球の満杯状態を検知した場合も、球発射装置５０の作動を規制して遊技を中断させる。
【００８７】
外部端子基板６５は、遊技場の管理コンピュータであるホールコンピュータと配線ケーブルで接続され、該ホールコンピュータに対し当該パチンコ機１の稼動状態を報知するための出力端子基板として主に機能する電子回路基板である。
【００８８】
外部端子基板６５には、上述した主制御基板６０、払出制御基板６２が接続され、これらの制御基板から当該パチンコ機１における現在の遊技状態である例えば大当たり（特別遊技状態）中か、賞球払出装置５２が作動して賞球若しくは貸球を払い出し中か、飾り部材２５による演出図柄を表示中かどうか等の遊技機情報を受けて上述したホールコンピュータへ常に報知している。また、外部端子基板６５には、前枠３及びガラス枠４の開放状態をそれぞれ検出する前枠開放スイッチ４１及びガラス枠開放スイッチ４２とが接続され、これら検出スイッチから得られる枠の開閉状態を示す情報もホールコンピュータへ報知している。
【００８９】
次に、上述した球払出し及び球抜き装置の動作を図９〜図１３を参照して説明する。なお、図９は、球払出し動作中の球払出し及び球抜き装置を表す背面図であって、賞球払出装置５２を断面で表す図、図１０は、図９における状態で右方から見た部分断面図である。図１１は、球抜き動作中の球払出し及び球抜き装置を表す背面図であって、賞球払出装置５２を断面で表す図、図１２は、図１１における状態で右方から見た部分断面図である。図１３はパチンコ機１の例えば払出制御基板６２に設けられている球抜き制御手段１２０が実行する球抜き動作処理を表すフローチャートである。
【００９０】
通常の遊技の際には、図９及び図１０に示されるように、賞球払出装置５２による遊技球の払い出し動作が行われる。すなわち、遊技領域に打ち出された遊技球がチャッカー２１ａ、２１ｂ又はアタッカー２３等へ落入し、入賞球センサ２１１、２３１がこれを検出すると、主制御基板６０からその入賞に応じた数の賞球を払い出すべき旨の指令信号が払出制御基板６２に送出される。払出制御基板６２は、上記指令信号に基づいて賞球払出装置５２の球払出モータ５２８を制御することでインペラ５２７ａ、５２７ｂを反時計回り方向へ回転させることで、Ｓ字レール部１０４に待機する遊技球を所定の数だけ賞球通路１０５へ送り出す。また、遊技者によってＣＲ操作パネル７の球貸スイッチ７ａが操作された際にも、払出制御基板６２は、予め決められた数の遊技球を払い出すべくインペラ５２７ａ、５２７ｂを反時計回り方向へ回転させて賞球通路１０５へ送り出す。これにより、賞球払出装置５２が払い出した賞球又は貸球が賞球通路１０５を介して一体皿ユニット５の受皿部５ａへ排出される。
【００９１】
パチンコ機１本体の点検作業を行うときや、パチンコ機１の入れ換え作業をする場合には、図１３のフローチャートに基づく賞球払出装置５２による球抜き動作が行われる。なお、図１１及び図１２に示されるように、作業者等により球抜き操作レバー２０１の操作レバー部２０１ａが後方へ傾倒操作されると、これと連動する押圧片２０１ｂにより球抜き操作スイッチ２０２がオン動作することで、当該球抜き操作が検知される。当該球抜き操作は、パチンコ機１の裏面側にいる作業員が操作レバー部２０１ａを直接的に傾倒操作してもよいが、ガラス枠４及び前枠３等を貫通する球抜き操作孔１５０に操作ピンを挿入することで、パチンコ機１の正面側から操作レバー部２０１ａを間接的に傾倒操作してもよい。
【００９２】
図１３において、球抜き操作が検出されると（ステップＳ１０１：ＹＥＳ）、球抜き制御手段１２０は、前枠開放スイッチ４１の検出状態から前枠３が開放しているかどうか判定する（ステップＳ１０２）。前枠３が開放していると判定すると（ステップＳ１０２：ＹＥＳ）、球抜き動作を行わずに処理を終了させる。
【００９３】
前枠３が開放状態になければ（ステップＳ１０２：ＮＯ）、次にガラス枠開放スイッチ４２の検出状態からガラス枠４が開放状態にあるかどうか判定する（ステップＳ１０３）。ガラス枠４が開放していると判定すると（ステップＳ１０３：ＹＥＳ）、球抜き動作を行わずに処理を終了させる。
【００９４】
ガラス枠４が開放状態になければ（ステップＳ１０３：ＮＯ）、次にパチンコ機１において図柄が変動表示中か判定する（ステップＳ１０４）。図柄が変動表示中であると判定すると（ステップＳ１０４：ＹＥＳ）、球抜き動作を行わずに処理を終了させる。
【００９５】
パチンコ機１が図柄表示中でなければ（ステップＳ１０４：ＮＯ）、次にパチンコ機１において大当たり中にあるか判定する（ステップＳ１０５）。大当たり中にあると判定すると（ステップＳ１０５：ＹＥＳ）、球抜き動作を行わずに処理を終了させる。
【００９６】
パチンコ機１が大当たり中でなければ（ステップＳ１０５：ＮＯ）、次に賞球又は貸球を払い出し中か判定する（ステップＳ１０６）。パチンコ機１が払い出し中にあると判定すると（ステップＳ１０６：ＹＥＳ）、球抜き動作を行わずに処理を終了させる。
【００９７】
球抜き制御手段１２０は、パチンコ機１が現在、上記何れの状態にもあてはまらないと判定すると賞球払出装置５２による球抜き動作を許可する。すなわち、球抜き操作レバー２０１が傾倒操作されている間、賞球払出装置５２の球払出モータ５２８を駆動してインペラインペラ５２７ａ、５２７ｂを例えば図１１に示す時計回り方向へ回転させることで、予備球タンク５１及びＳ字レール部１０４内の遊技球を球排出通路１０６を介して機外へ排出する（ステップＳ１０７）。
【００９８】
この球抜き動作が開始すると、演出用照明部４ａ、４ｂのランプ類が点灯され球抜き動作中であることが作業員等に報知される。また、球抜き動作が実行された結果、タンク球切れスイッチ５７が所定時間以上、継続して球切れ状態を検知すると、上記ランプ類を点滅させる。これにより、予備球タンク５１及びＳ字レール部１０４内の遊技球の排出が終了したことが報知される。
【００９９】
そして、球抜き制御手段１２０は、球抜き操作スイッチ２０２がオフし球抜き操作の終了を検出すると（ステップＳ１０８：ＹＥＳ）、球払出モータ５２８の駆動を停止する（ステップＳ１０９）。
【０１００】
なお、賞球払出装置５２よる球抜き動作中に、前枠開放スイッチ４１が前枠３の開放を検出したとき、又はガラス枠開放スイッチ４２がガラス枠４の開放を検出したとき、又は図柄の変動表示が行われたとき、又は大当たり等の確変状態になったとき、又は遊技球の払い出し動作が開始したとき等、当該パチンコ機１において少なくとも前記何れかの状態が検出された場合、報知用照明部４ｃ、及び演出用放音部５ｂ等を駆動して当該パチンコ機１のエラーを周囲又は遊技場の管理者等へ報知する。
【０１０１】
かかる構成のパチンコ機１によれば、予備賞球通路３２に待機する遊技球を機外へ排出させる球抜き操作が行われても、前枠３又はガラス枠４が開放されているとき、または、当該パチンコ機１が図柄を表示中、大当たり中、若しくは遊技球の払出中かいずれかの遊技状態にあるときには、球抜き動作が実行されない。すなわち、パチンコ機１の前枠３が開放状態にあるなど不正な球抜き行為が行われる可能性がある上記いずれか一つの条件を満たすとき、当該球抜き動作が禁止されるので、かかる状態において行われる不正な球抜きを未然に防止することができる。
【０１０２】
また、遊技球を機外へ排出している球抜き動作中に前枠３が開放するなど、パチンコ機１が上記いずれかの状態になったときエラーを報知するので、球抜き動作時の不正行為を確実に防止することができる。
【０１０３】
なお、球抜き動作を制御する球抜き制御手段１２０は、払出制御基板６２によって実行される演算処理手段に限らず、払出制御基板６２に接続される別の制御基板に備えられるものであってもよい。また、主制御基板６０等、パチンコ機１に備えられる他の制御基板が演算処理をすることで、球抜き動作を制御するものでもよい。
【図面の簡単な説明】
【０１０４】
【図１】図１は、本発明の一実施形態によるパチンコ機の正面図である。
【図２】図２は、本発明の一実施形態によるパチンコ機の遊技盤と前枠の前面構造を主に表す正面図である。
【図３】図３は、本発明の一実施形態によるパチンコ機の側面図である。
【図４】図４は、本発明の一実施形態によるパチンコ機の背面図である。
【図５】図５は、本発明の一実施形態による球払出し及び球抜き装置の構造を表す斜視図である。
【図６】図６は、本発明の一実施形態による賞球払出装置の外観構造を表す斜視図である。
【図７】図７（ａ）及び（ｂ）は、本発明の一実施形態による賞球払出装置の動作を説明するための断面図である。
【図８】図８は、本発明の一実施形態によるパチンコ機の制御システムを表すブロック図である。
【図９】図９は、本発明の一実施形態による、球払出し動作中の球払出し及び球抜き装置を後方から見た部分断面図である。
【図１０】図１０は、図９における状態で右方から見た球払出し及び球抜き装置の部分断面図である。
【図１１】図１１は、本発明の一実施形態による、球抜き動作中の球払出し及び球抜き装置を後方から見た部分断面図である。
【図１２】図１２は、図１１における状態で右方から見た球払出し及び球抜き装置の部分断面図である。
【図１３】図１３は、本発明の一実施形態による球抜き制御手段が実行する球抜き動作処理を表すフローチャートである。
【符号の説明】
【０１０５】
１…パチンコ機、  ２…外枠、  ２ａ…係止部、
３…前枠、  ３ａ…ヒンジ部材、
４…ガラス枠、  ４ａ、ｂ…演出用照明部、  ４ｃ…報知用照明部、
５…一体皿ユニット、
５ａ…受皿部、  ５ｂ…演出用放音部、  ５ｃ、５ｄ…球抜きボタン、
５ｅ…球排出口、
６…鍵穴、
７…ＣＲ操作パネル、  ７ａ…球貸スイッチ、  ７ｂ…返却スイッチ、
８…発射ハンドル
８１…タッチセンサ、  ８２…ポテンショメータ、  ８３…停止スイッチ、
８ａ…回動操作部、  ９…スピーカ、
１０…裏セット盤、
１０１…係止孔、  １０２…予備賞球通路、  １０３…傾斜樋部、
１０４…Ｓ字レール部、  １０５…賞球通路、  １０５ａ…賞球通路出口、
１０６…球排出通路、  １０６ａ…球排出通路出口、
１０７…球抜き通路、  １０８…カバー部材、
２０…遊技盤、  ２０ａ…係止孔、
２１ａ、２１ｂ…チャッカー、  ２１１…入賞球センサ、
２２…始動チャッカー、  ２２１…始動口入賞球センサ、
２３…アタッカー、
２３１…入賞球センサ、  ２３２…特定領域入賞球センサ、  ２３３…大入賞口ソレノイド
２４…アウト口、  ２５…飾り部材、  ２６…貯球タンク、  ２７…賞球払出口、
３０…基枠体、
３０１、３０２…回転ロック部材、  ３０４…係止フック、
３０ａ…遊技補助盤、  ３１…遊技盤収容部、
４１…前枠開放スイッチ、  ４２…ガラス枠開放スイッチ、
５０…球発射装置、
５０１…球発射ソレノイド、  ５０２…打撃ハンマ、  ５０３…発射レール、
５１…予備球タンク、
５２…賞球払出装置、
５２１…ケース部材、  ５２２…カバー部材、  ５２３ａ、５２３ｂ…受容口、
５２４ａ、５２４ｂ…導入通路、  ５２５ａ、５２５ｂ…払出通路、
５２６ａ、５２６ｂ…払出口、  ５２７ａ、５２７ｂ…インペラ、
５２８…球払出モータ、  ５２９…カウントセンサ、
５３…液晶表示ユニット、
５４…球均し機構、  ５４１…球均し部材、
５５…球止め機構、
５５１…規制部材、  ５５１ａ…枢軸部、  ５５１ｂ…アーム部、
５５１ｃ…規制爪部、  ５５１ｄ…操作レバー部、
５５２…上部カバー部材、  ５５２ａ…開口、
５５３…係止片、  ５５３ａ…突起部、
５６…受皿満タンスイッチ、  ５７…タンク球切れスイッチ、
６０…主制御基板、
６１…サブ制御基板、
６１１…音声制御部、  ６１２…画像制御部、  ６１３…ランプ制御部、
６２…払出制御基板、  ６３…電源装置ユニット、  ６４…遊技盤中継基板、
６５…外部端子基板、  ６６…発射制御基板、  ６７…ＣＲ接続端子板、
７１…外レール、  ７２…内レール、
２０１…球抜き操作レバー、  ２０１ａ…操作レバー部、  ２０１ａ…押圧片、
２０２…球抜き操作スイッチ、  １２０…球抜き制御手段、
１５０…球抜き操作孔
【図１】
2005342248.tif 000003
【図２】
2005342248.tif 000004
【図３】
2005342248.tif 000005
【図４】
2005342248.tif 000006
【図５】
2005342248.tif 000007
【図６】
2005342248.tif 000008
【図７】
2005342248.tif 000009
【図８】
2005342248.tif 000010
【図９】
2005342248.tif 000011
【図１０】
2005342248.tif 000012
【図１１】
2005342248.tif 000013
【図１２】
2005342248.tif 000014
【図１３】
2005342248.tif 000015